(57)【要約】【課題】カートリッジの挿入時にディスクがアクチュエータカバーに接触したとしても、アクチュエータカバーに設けられた保護シートに接触することはなく、保護シートが剥がれて脱落することを防止する。【解決手段】アクチュエータカバー１０１のカートリッジ搬送方向のカートリッジ挿入側にアクチュエータカバー１０１と一体とした凸部１０１ａを設けることにより、挿入されてきたカートリッジ３１内で、ディスク３２が下側に偏ってアクチュエータカバー１０１に接触しても、凸部１０１ａにより、ディスク３２が持ち上げられ、保護シート１００に接触することはなく、保護シート１００の脱落を防止することを可能としている。【選択図】　図４
2004086956.tif 000002
【特許請求の範囲】
【請求項１】
光ディスクを収納したカートリッジを搬送するローディングと、
前記光ディスクの半径方向に移動するピックアップと、
前記ピックアップを収納するアクチュエータカバーと、
前記アクチュエータカバー上に前記ディスク保護シートと
を備えた光ディスク装置において、
前記アクチュエータカバー上のカートリッジ搬送方向カートリッジ挿入側に前記アクチュエータカバーと一体とした凸部を設けた
ことを特徴とする光ディスク装置。
【発明の詳細な説明】
【０００１】
【発明の属する技術分野】
本発明は、カートリッジ内に収容されているディスク状記録媒体を駆動するためのディスク装置に関する。
【０００２】
【従来の技術】
光磁気記録において、すでに記録されている情報を消去することなく情報を書き換える、いわゆるオーバーライトの研究が高速データ転送の実現のために盛んに行われており、その中でも磁界変調記録によるオーバーライトが最も有力な方法の１つとして注目されている。
【０００３】
この磁界変調記録では、透明な基板上に磁性膜からなる光磁気記録媒体層を形成した光磁気ディスクに、光ピックアップにて集光したレーザ光を前記光磁気ディスクの基板側より照射して、照射部の磁性膜をキュリー温度近傍まで加熱することにより保磁力をゼロもしくは、ほぼゼロの状態にし、この状態にて、光磁気ディスクの光磁気記録媒体層側に光ピックアップに対向して配置された磁気ヘッドから記録データに応じて垂直方向に反転する外部磁界を印加することにより情報の記録が行われている。
【０００４】
ところが、上記従来の構成では、信頼性の高い記録を行うために充分大きな外部磁界を光磁気記録媒体層に印加しようとすると、磁気ヘッドのコイル駆動電流を大きくするか、磁気ヘッドと光磁気記録媒体層との間隔を充分小さくする必要があり、このために、前者では磁気ヘッドの駆動電力の増加と磁気ヘッドの大型化とを招来しており、後者では磁気ヘッドと光磁気ディスクとの衝突による記録情報の消失の危険性を招来しているという問題点を有している。
【０００５】
そこで、例えば特許２８３４８７９号公報において、磁気ヘッドが大型化することなく、光磁気記録媒体の光照射領域に印加される外部磁界を増加することができる光磁気記録装置が提案されている。
【０００６】
【発明が解決しようとする課題】
この特許２８３４８７９号公報の提案の光磁気記録装置では、該公報の第３図に示すように、光ピックアップ３は、レーザー光１１を光磁気ディスク１の光磁気記録媒体層５上に集光する対物レンズ９と、対物レンズ９や光ビームスプリッタ（図示されていない）等の光学部品、フォーカシング用やトラッキング用のアクチュエータ（図示されていない）及び光検出器（図示されていない）等を搭載する光ピックアップハウジングと、光ピックアップハウジングの光磁気ディスク１側に設けられた非磁性体板としての非磁性体リング１３と、非磁性体リング１３上に形成された磁束誘導手段としての高透磁率軟磁性材料からなる磁性体リング１２とから主に構成されている。
【０００７】
特許２８３４８７９号公報に提案される光ピックアップにおいては、光ピックアップハウジング上に磁性体リング１２、非磁性体リング１３を配置しているが、ディスクの挿入時にこのリングにディスクが引っかかり、リングが脱落してしまう恐れがある。
【０００８】
また、この特許２８３４８７９号公報では、磁性体リング１２、非磁性体リング１３を配置しているが、光ピックアップハウジングを金属で構成した場合、光ピックアップハウジングとディスクの接触によるディスクヘの傷つき防止のために樹脂製の保護シートを設けることがある。この場合においても、同様にディスクの挿入時にこの保護シートにディスクが引っかかり、保護シートが脱落してしまう恐れがある。
【０００９】
また、特開平５−２７６４号公報の第１図、第２図、第３図に提案される光ピックアップにおいて、アクチュエータのカバー上に凸（防塵壁）を設けているが、これはディスクの回転方向に着目したもので、ディスクの挿入方向を考慮して配置したものではない。
【００１０】
一例として、図１０及び図１１に示すように、３．５型ＭＯドライブの場合、図示しないディスクを収納したカートリッジがローディングベース上を水平に挿入され、保護シートを有する光ピックアップハウジング上の所定の位置までカートリッジが挿入されると、スピンドルモータが上昇し、カートリッジをチャッキングする。この時、カートリッジ内でディスクは上下および半径方向にガタをもっているので、ディスクが下方向に偏っている場合、図１２の様に保護シートと接触することがある。接触した状態から強くディスクを挿入すると、図１３の様に保護シートが脱落してしまう問題点があった。
【００１１】
本発明は、上記事情に鑑みてなされたものであり、カートリッジの挿入時にディスクがアクチュエータカバーに接触したとしても、アクチュエータカバーに設けられた保護シートに接触することはなく、保護シートが剥がれて脱落することを防止することのできるディスク装置を提供することを目的としている。
【００１２】
【課題を解決するための手段】
本発明の光ディスク装置は、光ディスクを収納したカートリッジを搬送するローディングと、前記光ディスクの半径方向に移動するピックアップと、前記ピックアップを収納するアクチュエータカバーと、前記アクチュエータカバー上に前記ディスク保護シートとを備えた光ディスク装置において、前記アクチュエータカバー上のカートリッジ搬送方向カートリッジ挿入側に前記アクチュエータカバーと一体とした凸部を設けて構成される。
【００１３】
【発明の実施の形態】
以下、図面を参照しながら本発明の実施の形態について述べる。
【００１４】
図１ないし図９は本発明の一実施の形態に係わり、図１はディスク装置の構成を示す第１の構成図、図２は図１のディスク装置の構成を示す第２の構成図、図３は図１のディスク装置にローディングされるカートリッジを示す図、図４は図１のディスク装置を作用を説明する第１の図、図５は図１のディスク装置を作用を説明する第２の図、図６は図１のディスク装置を作用を説明する第３の図、図７は図１のディスク装置の変形例を作用を説明する第１の図、図９は図１のディスク装置の変形例を作用を説明する第２の図、図９は図１のディスク装置の変形例を作用を説明する第３の図である。
【００１５】
本実施の形態のディスク装置１は、図１に示されるように、カートリッジ３１（図３参照）を収容するベースプレート１１と、カートリッジ３１の挿入排出に連動してカートリッジ３１のシャッタ３３を開閉するシャッター開閉機構を備えたカートリッジホルダ４１とを有している。カートリッジ３１には、図３に示されるように、３．５インチの光磁気ディスク３２が収納されている。
【００１６】
ベースプレート１１は板金等の剛体で構成されており、このベースプレート１１には、スピンドルモータ１２が侵入する開口１１ａと、ディスク３２に記録再生を行なう光ヘッド（図示せず）を内蔵した保護シート１００を有するアクチュエータカバー１０１が臨む開口１１ｂとが連続的に形成されている。
【００１７】
図１によく示されるように、ベースプレート１１の開口１１ｃの後部には、カートリッジホルダ４１に設けられる摺動可能なピン４８の脱落を防止するストッパ１１ｏがベースプレート１１に一体に形成されている。また、ベースプレート１１前側には、手動排出用の切り欠き１１ｑが形成されている。
【００１８】
ベースプレート１１には、ブチルゴム等から成る制振材（図示せず）を介してローディング装置１をフレーム（図示せず）に固定するための四個の固定部１１ｇと１１ｈと１１ｉと１１ｊが形成されている
また、ベースプレート１１の開口１１ｂに平行に光ヘッド（図示せず）を搭載したアルミニウム等の放熱性の高い材料で構成されたデッキ（図示せず）を位置決めする穴１１ｋと長穴１１ｌが形成されている。さらに、ベースプレート１１の両側面には、カートリッジホルダ４１の両側面前側にコの字に形成された溝４１ａ（図２参照）と４１ｂが係合する係合部１１ｍと１１ｎが形成されている。また、ベースプレート１１の後側には、カートリッジ３１の挿入方向の長さとほぼ同じ距離付近に、カートリッジ３１の必要以上の挿入を阻止するストッパ１１ｐが一体に形成されている。
【００１９】
ベースプレート１１の後部にはクランク形状をした固定部５３が形成されており、この固定部５３に、カートリッジ３１を排出するためのモータ５２がビスにより固定されている。モータ５２への給電はＦＰＣ５４を介して行われる。ＦＰＣ５４は、途中でカートリッジホルダ４１側に分岐し、磁界発生装置４２にも給電している。また、ベースプレート１１の上面には、ほぼベースプレート１１と同じ形状の薄い樹脂から成るシート５５が配置されている。このシート５５は、導電性に富んだ樹脂が好ましい。
【００２０】
図１と図２に示されるように、カートリッジホルダ４１は、ベースプレート１１と同様に板金等の剛体で構成されており、中央後部にはディスク３２に対する記録または消去のための磁界を発生させる磁界発生装置４２を所定の高さに配置するための凸部４３ａと４３ｂが形成されている。
【００２１】
図２に示されるように、磁界発生装置４２は、ポリウレタン等で絶縁された銅線から成るコイル４４、板金等の剛体で構成されたセンタヨーク４５、同様に板金等の剛体で構成されコの字状のサイドヨーク４６から構成されている。コイル４４は、長さの異なる引き出し線４４ａと４４ｂが設けられている。この引き出し線４４ａと４４ｂの一方から他方に電流を流すことにより記録あるいは消去するための磁界が発生される。
【００２２】
図示はしないが、サイドヨーク４６の上面には、カートリッジ３１の挿入方向と同じ方向に延びる、高さ０．１ｍｍ程度の二本の凸部が一体に形成されている。
【００２３】
さらに、図３に示されるように、サイドヨーク４６の下面には、カートリッジ３１の排出時に、ディスク３２のハブ３２ａがスピンドルモータ１２から剥がされて上方にはねた場合に、ディスク３２の記録領域が直接、サイドヨーク４６に当たらないように突き出した凸部４６ｃと４６ｄが一体に形成されている。この凸部４６ｃと４６ｄは、ディスク３２の最外周が当たるように、前側が後側よりも若干高く設定されている。この凸部４６ｃと４６ｄは二つである必要はなく、同様な機能を持つならば、その構成や個数等は自由である。材質は板金等で構成してもよいし、樹脂等で構成してもよい。特に、潤滑性のあるポリアセタール樹脂等が好ましい。
【００２４】
図１と図２に示されるように、カートリッジホルダ４１には、カートリッジ３１のシヤッタ３３を開閉するシャッタ開閉機構が配置されている。シャッタ開閉機構は、カートリッジホルダ４１に形成された第１の溝４１ｃと、同じくカートリッジホルダ４１に形成された第２の溝４１ｄと、第１の溝４１ｃに移動及び回動可能に保持されたレバー４７（第１の摺動部材）と、第２の溝４１ｄに移動及び回動可能に保持されたピン４８（第２の摺動部材）と、レバー４７とピン４８との間に設けられた、カートリッジ３１の排出時にレバー４７に排出方向（カートリッジの挿入口方向）の付勢力を与える第１のバネ４９（第１の付勢手段）と、カートリッジホルダ４１とピン４８との間に設けられた、カートリッジ３１の排出時にピン４８に排出方向の力を与える第２のバネ５０（第２の付勢手段）とから構成されている。第２のバネ５０は、カートリッジホルダ４１上に設けられた穴４１ｋに回動可能に保持されている。第１のバネ４９及び第２のバネ５０は、ねじりコイルバネに限定されるものではなく、板バネや樹脂等、弾性力を持つもので何を用いてもよい。
【００２５】
第１の溝４１ｃは、カートリッジ３１の挿入方向に対して約４５度の傾斜を持つ前半部と、カートリッジ３１の挿入方向に対してわずかに傾斜を持つ後半部とを有し、カートリッジホルダ４１の上面でレバー４７の下側のフランジ４７ａの高さよりもわずかに高く設定されている。また、第２の溝４１ｄは、カートリッジホルダ４１と同じ高さで、挿入方向に対して第１の溝４１ｃの後半部よりもさらに傾斜を持って形成されている。
【００２６】
レバー４７とピン４８は、摺動動作時、第１の溝４１ｃ及び第２の溝４１ｄの摺動面に対し、第１のバネ４９と第２のバネ５０からの押し付けの方向が４５度を越えないように配置されていることが望ましい。
【００２７】
カートリッジホルダ４１の両側面の近くには、周囲の殆どが溝で囲まれた、バネの機能を持つ三個の押圧部４１ｅと４１ｆと４１ｇが形成されている。押圧部４１ｅと４１ｆと４１ｇには、カートリッジ３１が挿入された際に、カートリッジ３１に当接する凸部４１ｈと４１ｉと４１ｊがそれぞれ設けられている。
【００２８】
レバー４７の側面には、ピン４８とほぼ同じ外形の凹部４７ａが形成されている。カートリッジ３１は、規格化されているもので、図３に示すように、内部にディスク３２が収容され、光磁気ディスクドライブ内に挿入することでカートリッジホルダ４１に構成されたシャッター開閉機構によりシャッタ３３が開放されて、光ヘッドと対向する側でディスク３２のハブ３２ａを含む半径部分が露出し、反対側の磁界発生装置４２と対向する側では、ハブ３２ａを除く半径部分が露出するようになっている。また、ディスク３２のハブ３２ａ側のカートリッジ表面には、チャッキング時の寸法の割り出し等、各寸法の基準となる二個の基準穴３４ａと３４ｂが穿設されている。
【００２９】
図４ないし図６に示すように、アクチュエータカバー１０１は例えば金属製（非磁性）としており、ディスク３２とアクチュエータカバー１０１が接触した場合、カートリッジ２３１内の光磁気ディスク２３１ａに傷が付くことを防ぐ目的で、アクチュエータカバー１０１の上に樹脂でできた保護シート１００を設けている。
【００３０】
一例として３．５型ＭＯドライブの場合、図示しないピックアップは、カートリッジ３１内のディスク３２のフォーカス方向とトラッキング方向に移動し、ディスク３２のトラックにビームをスポット状に絞り、トレースする。
【００３１】
ピックアップは、図示しない半導体レーザーから発したビームを、対物レンズ２０１で絞り込み、ディスク３２に当たり、反射させて戻ってきた光信号を、図示しないフォトダイオードで電気信号に変換し、情報を記録再生する。
【００３２】
本実施の形態では、図４〜図６に示すように、アクチュエータカバー１０１のカートリッジ搬送方向のカートリッジ挿入側にアクチュエータカバー１０１と一体とした凸部１０１ａを設けることにより、挿入されてきたカートリッジ３１内で、ディスク３２が下側に偏ってアクチュエータカバー１０１に接触しても、凸部１０１ａによりディスク３２が持ち上げられ、保護シート１００に接触することはなく、保護シート１００の脱落を防止することを可能としている。
【００３３】
すなわち、ディスクを収納したカートリッジを搬送するローディングと、ディスクの半径方向に移動するピックアップと、ピックアップを保護するカバーと、前記カバー上にディスク保護シートを備えた光ディスク装置において、前記カバー上のカートリッジ搬送方向カートリッジ挿入側にカバーと一体とした凸部を設けたことで、ローディングメカに挿入されてきたカートリッジ内で、ディスクが下側に偏ってアクチュエータカバーに接触しても、上記凸部により、ディスクが持ち上げられ、保護シートに接触することはなく、保護シートの脱落を防止することができる。
【００３４】
また、図７ないし図９に示すように、本実施の形態の変形例では、アクチュエータカバー１０１のカートリッジ搬送方向のカートリッジ挿入側を一段高く構成したものであって、上記実施の形態と同様に、挿入されてきたカートリッジ３１内で、ディスク３２が下側に偏ってアクチュエータカバー１０１に接触しても、凸部１０１ａにより、ディスク３２が持ち上げられ、保護シート１００に接触することはなく、保護シート１００の脱落を防止することができる。
【００３５】
本発明は、上述した実施の形態に限定されるものではなく、本発明の要旨を変えない範囲において、種々の変更、改変等が可能である。
【００３６】
【発明の効果】
以上説明したように本発明によれば、カートリッジの挿入時にディスクがアクチュエータカバーに接触したとしても、アクチュエータカバーに設けられた保護シートに接触することはなく、保護シートが剥がれて脱落することを防止することができるという効果がある。
【図面の簡単な説明】
【図１】本発明の一実施の形態に係るディスク装置の構成を示す第１の構成図
【図２】図１のディスク装置の構成を示す第２の構成図
【図３】図１のディスク装置にローディングされるカートリッジを示す図
【図４】図１のディスク装置を作用を説明する第１の図
【図５】図１のディスク装置を作用を説明する第２の図
【図６】図１のディスク装置を作用を説明する第３の図
【図７】図１のディスク装置の変形例を作用を説明する第１の図
【図８】図１のディスク装置の変形例を作用を説明する第２の図
【図９】図１のディスク装置の変形例を作用を説明する第３の図
【図１０】従来のディスク装置を作用を説明する第１の図
【図１１】従来のディスク装置を作用を説明する第２の図
【図１２】従来のディスク装置を作用を説明する第３の図
【図１３】従来のディスク装置を作用を説明する第４の図
【符号の説明】
１１…ベースプレート
１１ａ、１１ｂ…開口
１２…スピンドルモータ
３１…カートリッジ
３２…ディスク
４１…カートリッジホルダ
１００…保護シート
１０１…アクチュエータカバー
１０１ａ…凸部
【図１】
2004086956.tif 000003
【図２】
2004086956.tif 000004
【図３】
2004086956.tif 000005
【図４】
2004086956.tif 000006
【図５】
2004086956.tif 000007
【図６】
2004086956.tif 000008
【図７】
2004086956.tif 000009
【図８】
2004086956.tif 000010
【図９】
2004086956.tif 000011
【図１０】
2004086956.tif 000012
【図１１】
2004086956.tif 000013
【図１２】
2004086956.tif 000014
【図１３】
2004086956.tif 000015